(57)【要約】【課題】設置場所から回収して接続した専用端末器の要求に応じて出力される、内部の蓄積された履歴情報を、設置したままの状態で外部に出力させることができるようにする。【解決手段】通常ならば、交換等により設置場所から回収した火災警報器１，４，５，８に専用端末器（図示せず）を接続しないと、火災警報器１，４，５，８から出力させることのできない履歴情報を、ハンディーターミナル９から無線ユニット２，３，６，７を介して対象の火災警報器１，４，５，８に、蓄積された履歴情報の出力を要求する履歴出力要求信号を、点検モードの開始を要求する点検開始要求信号と共に出力することで、火災警報器１，４，５，８を設置したままの状態でハンディーターミナル９に出力させる構成とした。【選択図】図５
2008033841.tif 000002
【特許請求の範囲】
【請求項１】
通常モードにおいて動作の履歴情報を内部に蓄積すると共に、点検モードにおいて動作の正常、異常の点検とその結果出力を行い、さらに、専用端末器の接続に伴い該専用端末機からの要求に呼応して前記履歴情報を前記専用端末器に出力するガス機器又は防災・防犯関連機器であって、
前記点検モードの開始を指令する点検開始指令信号の外部からの入力に呼応して前記通常モードから前記点検モードに動作モードを切り換えるモード切換手段と、
前記モード切換手段によって前記通常モードから切り換えられた前記点検モードにおいて実行された動作の点検結果と、前記モード切換手段による前記点検モードへの切り換えまでの前記通常モードにおいて蓄積した前記履歴情報とを、前記点検開始指令信号の出力元に出力する情報出力手段とを備え、
前記点検開始指令信号は、外部に接続されて通信相手との情報の授受を無線通信により行う無線ユニットから、無線による前記点検モードの開始を要求する点検開始要求信号の前記無線ユニットによる受信に伴い入力され、
前記情報出力手段は、前記点検結果と前記履歴情報とを、前記無線ユニットから前記通信相手に無線で送出させるべく該無線ユニットに出力する、
ことを特徴とするガス機器又は防災・防犯関連機器。
【請求項２】
通常モードにおいて動作の履歴情報を内部に蓄積すると共に、点検モードにおいて動作の正常、異常の点検とその結果出力を行い、さらに、専用端末器の接続に伴い該専用端末機からの要求に呼応して前記履歴情報を前記専用端末器に出力するガス機器又は防災・防犯関連機器であって、
前記点検モードの開始を指令する点検開始指令信号の外部からの入力に呼応して前記通常モードから前記点検モードに動作モードを切り換えるモード切換手段と、
前記モード切換手段によって前記通常モードから切り換えられた前記点検モードにおいて実行された動作の点検結果と、前記モード切換手段による前記点検モードへの切り換えまでの前記通常モードにおいて蓄積した前記履歴情報とを、前記点検開始指令信号の出力元に出力する情報出力手段と、
通信相手との情報の授受を無線通信により行う無線ユニットとを備え、
前記点検開始指令信号は、前記通信相手から無線により前記無線ユニットに入力され、
前記情報出力手段は、前記点検結果と前記履歴情報とを前記無線ユニットから前記通信相手に無線により出力する、
ことを特徴とするガス機器又は防災・防犯関連機器。
【請求項３】
前記点検結果は、内蔵された電源用電池の端子電圧を含んでおり、前記履歴情報は、前記電池を電源とする電気素子の動作回数、又は、前記電池からの電源供給を受けた時間の長さを示す連続通電時間を含んでいる請求項１又は２記載のガス機器又は防災・防犯関連機器。
【請求項４】
前記点検結果は、内蔵された電源用電池の端子電圧を含んでおり、前記履歴情報は、前記電池の電源供給を受けて警報状態時に実行される警報動作の合計時間を含んでいる請求項１又は２記載のガス機器又は防災・防犯関連機器。
【請求項５】
内部に蓄積した動作の履歴情報を、専用端末器の接続に伴い該専用端末機からの履歴出力指令信号の入力に呼応して前記専用端末器に出力するガス機器又は防災・防犯関連機器に接続され、該ガス機器又は防災・防犯関連機器と通信相手との間で授受される情報を無線通信により送受する無線ユニットであって、
外部からの履歴出力要求信号を無線通信により受信した際に、接続先の前記ガス機器又は防災・防犯関連機器に前記履歴出力指令信号を出力する履歴出力指令手段と、
前記履歴出力指令信号の入力に呼応して接続先の前記ガス機器又は防災・防犯関連機器から入力される前記履歴情報を、無線通信により前記履歴出力要求信号の送信元に送信する情報送信手段と、
を備えることを特徴とする無線ユニット。
【請求項６】
前記ガス機器又は防災・防犯関連機器は、通常モードにおいて動作の履歴情報を内部に蓄積すると共に、点検モードにおいて動作の正常、異常の点検とその結果出力を行うように構成されており、前記履歴出力指令手段は、接続先の前記ガス機器又は防災・防犯関連機器に前記点検モードの開始を指令する点検開始指令信号を兼ねて、前記履歴出力指令信号を出力するように構成されており、前記ガス機器又は防災・防犯関連機器は、前記点検開始指令信号を兼ねた前記履歴出力指令信号の入力に呼応して、前記点検モードにおける動作の点検を実行してその点検結果を、前記履歴情報と共に出力するように構成されており、前記情報送信手段は、前記点検開始指令信号を兼ねた前記履歴出力指令信号の入力に呼応して接続先の前記ガス機器又は防災・防犯関連機器から入力される前記点検結果を、前記履歴情報と共に無線通信により前記履歴出力要求信号の送信元に送信するように構成されている請求項５記載の無線ユニット。
【請求項７】
前記点検結果は、接続先の前記ガス機器又は防災・防犯関連機器に内蔵された電源用電池の端子電圧を含んでおり、前記履歴情報は、前記電池を電源とする接続先の前記ガス機器又は防災・防犯関連機器の動作回数、又は、前記電池ＢＡＴＴからの電源供給を受けた時間の長さを示す連続通電時間を含んでいる請求項６記載の無線ユニット。
【請求項８】
前記点検結果は、接続先の前記ガス機器又は防災・防犯関連機器に内蔵された電源用電池の端子電圧を含んでおり、前記履歴情報は、前記電池を電源とする接続先の前記ガス機器又は防災・防犯関連機器が、前記電源用電池の電源供給を受けて警報状態時に実行する警報動作の合計時間を含んでいる請求項６記載の無線ユニット。
【請求項９】
専用端末器の接続に伴い該専用端末機からの履歴出力指令信号の入力に呼応して、内部に蓄積した動作の履歴情報を前記専用端末器に出力するガス機器又は防災・防犯関連機器に接続される無線ユニットを介して、無線通信による情報の授受を前記ガス機器又は防災・防犯関連機器との間で行う携帯端末装置であって、
前記履歴情報の前記ガス機器又は防災・防犯関連機器からの出力を要求する履歴出力要求信号を無線通信により前記無線ユニットに送信する履歴出力要求手段と、
前記履歴出力要求信号の受信に伴い前記無線ユニットが出力する前記履歴出力指令信号の入力に呼応した、前記ガス機器又は防災・防犯関連機器からの前記履歴情報の入力に呼応して、前記無線ユニットが無線通信により送信する前記履歴情報を受信する情報受信手段と、
前記情報受信手段が受信した前記履歴情報を解析し該履歴情報に関連する前記ガス機器又は防災・防犯関連機器の状態情報を生成する状態情報生成手段と、
前記状態情報生成手段が生成した前記状態情報に関する表示又は音声出力を行う状態情報出力手段と、
を備えることを特徴とする携帯端末装置。
【請求項１０】
前記ガス機器又は防災・防犯関連機器は、通常モードにおいて動作の履歴情報を内部に蓄積すると共に、点検モードにおいて動作の正常、異常の点検とその結果出力を行うように構成されており、前記無線ユニットは、前記履歴出力要求信号の受信に伴い、前記点検モードの開始を要求する点検開始指令信号を兼ねた前記履歴出力指令信号を出力するように構成されており、前記ガス機器又は防災・防犯関連機器は、前記点検開始指令信号を兼ねた前記履歴出力指令信号の入力に呼応して、前記点検モードにおける動作の点検を実行してその点検結果を、前記履歴情報と共に出力するように構成されており、前記無線ユニットは、前記点検開始指令信号を兼ねた前記履歴出力指令信号の入力に呼応して前記ガス機器又は防災・防犯関連機器から入力される前記点検結果を、前記履歴情報と共に無線通信により送信するように構成されており、前記情報受信手段は、前記無線ユニットが無線通信により送信する前記点検結果を前記履歴情報と共に受信するように構成されており、前記状態情報生成手段は、前記情報受信手段Ｊが受信した前記点検結果の項目に関連性のある前記履歴情報を解析して前記点検結果の項目別に前記状態情報を生成するように構成されている請求項９記載の携帯端末装置。
【請求項１１】
前記点検結果は、前記ガス機器又は防災・防犯関連機器に内蔵された電源用電池の端子電圧を含んでおり、前記履歴情報は、前記電池を電源とする前記ガス機器又は防災・防犯関連機器の電気素子の動作回数、又は、前記ガス機器又は防災・防犯関連機器が前記電池からの電源供給を受けた時間の長さを示す連続通電時間を含んでいる請求項１０記載の携帯端末装置。
【請求項１２】
前記点検結果は、前記ガス機器又は防災・防犯関連機器に内蔵された電源用電池の端子電圧を含んでおり、前記履歴情報は、前記電池を電源とする前記ガス機器又は防災・防犯関連機器が、前記電源用電池の電源供給を受けて警報状態時に実行する警報動作の合計時間を含んでいる請求項１０記載の携帯端末装置。
【発明の詳細な説明】
【技術分野】
【０００１】
本発明は、相互間で情報の授受を行うガスメータやＮＣＵ（網制御装置）、ガス漏れ警報器、火災警報器、窓センサ等のガス機器又は防災・防犯関連機器と、これらの間で授受される情報を無線通信で送受するために、それらのガス機器又は防災・防犯関連機器に接続して使用される無線ユニットと、この無線ユニットを介してガス機器又は防災・防犯関連機器との間で無線通信により情報の授受を行う携帯端末装置とに関するものである。
【背景技術】
【０００２】
従来より、ガスメータの検針値をＮＣＵ（網制御装置）経由で遠隔地の監視センターに送信して集中管理することが行われているが、ガスメータは一般に屋外に設置され、電話回線に接続されるＮＣＵは屋内に設置されるのが通常であるため、これらを接続するために、屋内外を跨いだ配線工事が必要となる。
【０００３】
しかし、屋内外を跨いだ配線工事は、壁に穴を開けるなど大がかりなものになり、家屋にダメージを与えることにもつながりかねないため、近年では、ＮＣＵとガスメータとの間を、それぞれに接続した無線ユニットを介して無線で接続するケースが増えつつある。
【０００４】
また、法令により設置が義務付けられつつある火災警報器についても、同一の家屋内に設置される複数の火災警報器のうち一つが火災を検出した場合に、他の火災警報器からも警報を出力させたり、ある家屋の火災警報器の火災警報器が火災を検出した場合に、周辺の家屋の火災警報器からも警報を出力させるというように、火災警報器どうしを連動させるために、各火災警報器どうしを接続するのに当たって、配線の引き回しを必要とする有線ではなく、上述したＮＣＵとガスメータとの間と同様に、無線ユニットを介して無線で接続することが検討されている。
【０００５】
ところで、上述した火災警報器やガス漏れ警報器等の警報器類には、火災やガス漏れ等の警報状態を擬似的に発生させて警報機能の故障の有無を点検できる機能がある。
【０００６】
これらの機能を用いた点検動作は、筐体に磁石を近づけて内部のマグネットスイッチをオンさせたり点検用の紐を引っ張ることで開始され、点検結果はガスメータや警報器類のインジケータによる表示や、ブザー、スピーカによる音声によって出力される（例えば特許文献１乃至３）。
【特許文献１】特開平７−２９６２７８号公報
【特許文献２】特開平９−１１５０７４号公報
【特許文献３】特開平１１−１６０６８号公報
【発明の開示】
【発明が解決しようとする課題】
【０００７】
しかしながら、上述した点検動作では、故障の有無の結果しか出力されず、例えば電池が寿命に近づいていても、出力される点検結果は電池電圧が正常であるとの内容でしかないので、点検結果から近々電池が寿命を迎えることを予測して交換作業を前倒しで行うことができない。
【０００８】
そのため、電池切れ目前の点検時にせっかく設置箇所に赴いていたにも拘わらず交換の必要性が認識されず、結局、電池切れしてから改めて設置箇所に赴いて交換作業を行うことになってしまい、交換の対応時期が遅れてしまうと共に、交換作業の効率も悪くなってしまう。
【０００９】
一方、故障の発生要因を解析するために必要な動作の履歴情報は、ガスメータや警報器類の内部に蓄積されており、これを外部に出力する機能は設けられているものの、現在の機能では、故障等に伴いガスメータや警報器類を交換してメーカーに持ち帰り、専用端末器を接続しないと出力させることができないので、点検時にこれを活用できないのが実状である。
【００１０】
したがって、例えば警報器類の設置状況が好ましくないため誤警報が頻発し電池の消耗が早まるような状況にあっても、設置したままの状態で出力させることができる現在の点検結果の出力だけでは、その状況を把握して電池の消耗を抑えるために警報器類の設置状態を変更すると言った対策を、先手を打って取ることができない。
【００１１】
本発明は前記事情に鑑み、また、点検機能とその結果の出力機能とを有する種々の端末機器が、先に説明したように、無線ユニットを用いて相手と無線接続されるケースが増えつつあることに着目してなされたもので、本発明の目的は、設置場所から回収して専用端末器を接続することによりこの専用端末器の要求に応じて専用端末器に出力される、内部の蓄積された履歴情報を、設置したままの状態でガスメータやＮＣＵ（網制御装置）、ガス漏れ警報器、火災警報器、窓センサ等のガス機器又は防災・防犯関連機器から外部に出力させることができるようにすることである。
【課題を解決するための手段】
【００１２】
上記目的を達成するため請求項１に記載した本発明のガス機器又は防災・防犯関連機器は、図１の基本構成図に示すように、通常モードにおいて動作の履歴情報を内部に蓄積すると共に、点検モードにおいて動作の正常、異常の点検とその結果出力を行い、さらに、専用端末器の接続に伴い該専用端末機からの要求に呼応して前記履歴情報を前記専用端末器に出力するガス機器又は防災・防犯関連機器であって、前記点検モードの開始を指令する点検開始指令信号の外部からの入力に呼応して前記通常モードから前記点検モードに動作モードを切り換えるモード切換手段Ａと、前記モード切換手段Ａによって前記通常モードから切り換えられた前記点検モードにおいて実行された動作の点検結果と、前記モード切換手段Ａによる前記点検モードへの切り換えまでの前記通常モードにおいて蓄積した前記履歴情報とを、前記点検開始指令信号の出力元に出力する情報出力手段Ｂとを備え、前記点検開始指令信号が、外部に接続されて通信相手Ｃとの情報の授受を無線通信により行う無線ユニットＤから、無線による前記点検モードの開始を要求する点検開始要求信号の前記無線ユニットＤによる受信に伴い入力され、前記情報出力手段Ｂが、前記点検結果と前記履歴情報とを、前記無線ユニットＤから前記通信相手Ｃに無線で送出させるべく該無線ユニットＤに出力することを特徴とする。
【００１３】
また、請求項２に記載した本発明のガス機器又は防災・防犯関連機器は、図２の基本構成図に示すように、通常モードにおいて動作の履歴情報を内部に蓄積すると共に、点検モードにおいて動作の正常、異常の点検とその結果出力を行い、さらに、専用端末器の接続に伴い該専用端末機からの要求に呼応して前記履歴情報を前記専用端末器に出力するガス機器又は防災・防犯関連機器であって、前記点検モードの開始を指令する点検開始指令信号の外部からの入力に呼応して前記通常モードから前記点検モードに動作モードを切り換えるモード切換手段Ａと、前記モード切換手段Ａによって前記通常モードから切り換えられた前記点検モードにおいて実行された動作の点検結果と、前記モード切換手段Ａによる前記点検モードへの切り換えまでの前記通常モードにおいて蓄積した前記履歴情報とを、前記点検開始指令信号の出力元に出力する情報出力手段Ｂと、通信相手Ｃとの情報の授受を無線通信により行う無線ユニットＤとを備え、前記点検開始指令信号が、前記通信相手Ｃから無線により前記無線ユニットＤに入力され、前記情報出力手段Ｂが、前記点検結果と前記履歴情報とを前記無線ユニットＤから前記通信相手Ｃに無線により出力することを特徴とする。
【００１４】
また、請求項３に記載した本発明のガス機器又は防災・防犯関連機器は、請求項１又は２に記載した本発明のガス機器又は防災・防犯関連機器において、前記点検結果が、内蔵された電源用電池ＢＡＴＴの端子電圧を含んでおり、前記履歴情報が、前記電池ＢＡＴＴを電源とする電気素子の動作回数、又は、前記電池ＢＡＴＴの通電時間を含んでいる構成とした。
【００１５】
さらに、請求項４に記載した本発明のガス機器又は防災・防犯関連機器は、請求項１又は２に記載した本発明のガス機器又は防災・防犯関連機器において、前記点検結果が、内蔵された電源用電池ＢＡＴＴの端子電圧を含んでおり、前記履歴情報が、前記電池ＢＡＴＴの電源供給を受けて警報状態時に実行される警報動作の合計時間を含んでいるものとした。
【００１６】
また、上記目的を達成するため請求項５に記載した本発明の無線ユニットは、図３の基本構成図に示すように、内部に蓄積した動作の履歴情報を、専用端末器の接続に伴い該専用端末機からの履歴出力指令信号の入力に呼応して前記専用端末器に出力するガス機器又は防災・防犯関連機器Ｅに接続され、該ガス機器又は防災・防犯関連機器Ｅと通信相手との間で授受される情報を無線通信により送受する無線ユニットであって、外部からの履歴出力要求信号を無線通信により受信した際に、接続先の前記ガス機器又は防災・防犯関連機器Ｅに前記履歴出力指令信号を出力する履歴出力指令手段Ｆと、前記履歴出力指令信号の入力に呼応して接続先の前記ガス機器又は防災・防犯関連機器Ｅから入力される前記履歴情報を、無線通信により前記履歴出力要求信号の送信元に送信する情報送信手段Ｇとを備えることを特徴とする。
【００１７】
さらに、請求項６に記載した本発明の無線ユニットは、請求項５に記載した本発明の無線ユニットにおいて、前記ガス機器又は防災・防犯関連機器Ｅが、通常モードにおいて動作の履歴情報を内部に蓄積すると共に、点検モードにおいて動作の正常、異常の点検とその結果出力を行うように構成されており、前記履歴出力指令手段Ｆが、接続先の前記ガス機器又は防災・防犯関連機器Ｅに前記点検モードの開始を指令する点検開始指令信号を兼ねて、前記履歴出力指令信号を出力するように構成されており、前記ガス機器又は防災・防犯関連機器Ｅが、前記点検開始指令信号を兼ねた前記履歴出力指令信号の入力に呼応して、前記点検モードにおける動作の点検を実行してその点検結果を、前記履歴情報と共に出力するように構成されており、前記情報送信手段Ｇが、前記点検開始指令信号を兼ねた前記履歴出力指令信号の入力に呼応して接続先の前記ガス機器又は防災・防犯関連機器Ｅから入力される前記点検結果を、前記履歴情報と共に無線通信により前記履歴出力要求信号の送信元に送信するように構成されているものとした。
【００１８】
また、請求項７に記載した本発明の無線ユニットは、請求項６に記載した本発明の無線ユニットにおいて、前記点検結果が、接続先の前記ガス機器又は防災・防犯関連機器Ｅに内蔵された電源用電池ＢＡＴＴの端子電圧を含んでおり、前記履歴情報が、前記電池ＢＡＴＴを電源とする接続先の前記ガス機器又は防災・防犯関連機器Ｅの電気素子の動作回数、又は、前記電池ＢＡＴＴの通電時間を含んでいる構成とした。
【００１９】
さらに、請求項８に記載した本発明の無線ユニットは、請求項６に記載した本発明の無線ユニットにおいて、前記点検結果が、接続先の前記ガス機器又は防災・防犯関連機器Ｅに内蔵された電源用電池ＢＡＴＴの端子電圧を含んでおり、前記履歴情報が、前記電池ＢＡＴＴを電源とする接続先の前記ガス機器又は防災・防犯関連機器Ｅが、前記電源用電池ＢＡＴＴの電源供給を受けて警報状態時に実行する警報動作の合計時間を含んでいるものとした。
【００２０】
また、上記目的を達成するため請求項９に記載した本発明の携帯端末装置は、図４の基本構成図に示すように、専用端末器の接続に伴い該専用端末機からの履歴出力指令信号の入力に呼応して、内部に蓄積した動作の履歴情報を前記専用端末器に出力するガス機器又は防災・防犯関連機器Ｅに接続される無線ユニットＤを介して、無線通信による情報の授受を前記ガス機器又は防災・防犯関連機器Ｅとの間で行う携帯端末装置であって、前記履歴情報の前記ガス機器又は防災・防犯関連機器Ｅからの出力を要求する履歴出力要求信号を無線通信により前記無線ユニットＤに送信する履歴出力要求手段Ｈと、前記履歴出力要求信号の受信に伴い前記無線ユニットＤが出力する前記履歴出力指令信号の入力に呼応した、前記ガス機器又は防災・防犯関連機器Ｅからの前記履歴情報の入力に呼応して、前記無線ユニットＤが無線通信により送信する前記履歴情報を受信する情報受信手段Ｊと、前記情報受信手段Ｊが受信した前記履歴情報を解析し該履歴情報に関連する前記ガス機器又は防災・防犯関連機器Ｅの状態情報を生成する状態情報生成手段Ｋと、前記状態情報生成手段Ｋが生成した前記状態情報に関する表示又は音声出力を行う状態情報出力手段Ｌとを備えることを特徴とする。
【００２１】
さらに、請求項１０に記載した本発明の携帯端末装置は、請求項９に記載した本発明の携帯端末装置において、前記ガス機器又は防災・防犯関連機器Ｅが、通常モードにおいて動作の履歴情報を内部に蓄積すると共に、点検モードにおいて動作の正常、異常の点検とその結果出力を行うように構成されており、前記無線ユニットＤが、前記履歴出力要求信号の受信に伴い、前記点検モードの開始を要求する点検開始指令信号を兼ねた前記履歴出力指令信号を出力するように構成されており、前記ガス機器又は防災・防犯関連機器Ｅが、前記点検開始指令信号を兼ねた前記履歴出力指令信号の入力に呼応して、前記点検モードにおける動作の点検を実行してその点検結果を、前記履歴情報と共に出力するように構成されており、前記無線ユニットＤが、前記点検開始指令信号を兼ねた前記履歴出力指令信号の入力に呼応して前記ガス機器又は防災・防犯関連機器Ｅから入力される前記点検結果を、前記履歴情報と共に無線通信により送信するように構成されており、前記情報受信手段Ｊが、前記無線ユニットＤが無線通信により送信する前記点検結果を前記履歴情報と共に受信するように構成されており、前記状態情報生成手段Ｋが、前記情報受信手段Ｊが受信した前記点検結果の項目に関連性のある前記履歴情報を解析して前記点検結果の項目別に前記状態情報を生成するように構成されているものとした。
【００２２】
また、請求項１１に記載した本発明の携帯端末装置は、請求項１０に記載した本発明の携帯端末装置において、前記点検結果が、前記ガス機器又は防災・防犯関連機器Ｅに内蔵された電源用電池ＢＡＴＴの端子電圧を含んでおり、前記履歴情報が、前記電池ＢＡＴＴを電源とする前記ガス機器又は防災・防犯関連機器Ｅの電気素子の動作回数、又は、前記ガス機器又は防災・防犯関連機器Ｅが前記電池ＢＡＴＴの通電時間を含んでいる構成とした。
【００２３】
さらに、請求項１２に記載した本発明の携帯端末装置は、請求項１０に記載した本発明の携帯端末装置において、前記点検結果が、前記ガス機器又は防災・防犯関連機器Ｅに内蔵された電源用電池ＢＡＴＴの端子電圧を含んでおり、前記履歴情報が、前記電池ＢＡＴＴを電源とする前記ガス機器又は防災・防犯関連機器Ｅが、前記電源用電池ＢＡＴＴの電源供給を受けて警報状態時に実行する警報動作の合計時間を含んでいるものとした。
【発明の効果】
【００２４】
請求項１に記載した本発明のガス機器又は防災・防犯関連機器によれば、図１の基本構成図に示すように、外部に接続されて通信相手Ｃとの情報の授受を無線通信により行う無線ユニットＤから、無線による点検モードの開始を指示する点検開始要求信号の受信に伴って入力される点検開始指令信号に呼応して、モード切換手段Ａにより動作モードが通常モードから点検モードに切り換えられると、通常ならば、専用端末器を接続しその専用端末機からの要求が発生したときに専用端末器にのみ出力される動作の履歴情報が、通常モードから点検モードへの切り換えまでに蓄積された分、通常モードからの切換後の点検モードにおいて実行された動作の点検結果と共に、無線ユニットＤから通信相手Ｃに無線で送出させるべく情報出力手段Ｂにより無線ユニットＤに出力される。
【００２５】
請求項２に記載した本発明のガス機器又は防災・防犯関連機器によれば、図２の基本構成図に示すように、通信相手Ｃとの情報の授受を無線通信により行う内蔵の無線ユニットＤへの、通信相手Ｃからの点検開始指令信号の入力に呼応して、モード切換手段Ａにより動作モードが通常モードから点検モードに切り換えられると、通常ならば、専用端末器を接続しその専用端末機からの要求が発生したときに専用端末器にのみ出力される動作の履歴情報が、通常モードから点検モードへの切り換えまでに蓄積された分、通常モードからの切換後の点検モードにおいて実行された動作の点検結果と共に、情報出力手段Ｂにより内蔵の無線ユニットＤからその通信相手Ｃに出力される。
【００２６】
このため、従来は設置場所から回収して専用端末器を接続しなければ出力させることができなかった履歴情報を、設置場所に設置したままの状態で、点検結果と共に無線ユニットＤ経由でその通信相手Ｃに対して出力させることができ、よって、出力された点検結果の項目に関連性のある履歴情報を無線ユニットＤの通信相手Ｃ側において解析することで、ガス機器又は防災・防犯関連機器を設置場所に設置したままの状態で、点検項目に関連する状況を容易に類推できるようにすることができる。
【００２７】
そして、請求項３に記載した本発明のガス機器又は防災・防犯関連機器によれば、請求項１又は２に記載した本発明のガス機器又は防災・防犯関連機器において、情報出力手段Ｂが出力する点検結果に含まれる、内蔵された電源用電池ＢＡＴＴの端子電圧と、同じく情報出力手段Ｂが出力する履歴情報に含まれる、電池ＢＡＴＴを電源とする電気素子の動作回数、又は、電池ＢＡＴＴの通電時間とにより、電池ＢＡＴＴの残量や電池切れの時期を容易に類推できるようにすることができる。
【００２８】
また、請求項４に記載した本発明のガス機器又は防災・防犯関連機器によれば、請求項１又は２に記載した本発明のガス機器又は防災・防犯関連機器において、情報出力手段Ｂが出力する点検結果に含まれる、内蔵された電源用電池ＢＡＴＴの端子電圧と、同じく情報出力手段Ｂが出力する履歴情報に含まれる、電池ＢＡＴＴの電源供給を受けて警報状態時に実行される警報動作の合計時間とにより、電池ＢＡＴＴの電池切れの際の原因が警報動作の異常な過多にあるのかどうかを容易に類推できるようにすることができる。
【００２９】
さらに、請求項５に記載した本発明の無線ユニットによれば、図３の基本構成図に示すように、外部からの履歴出力要求信号が無線通信により受信されると、接続先のガス機器又は防災・防犯関連機器Ｅの内部に蓄積された履歴情報を出力させるために接続先のガス機器又は防災・防犯関連機器Ｅに接続した専用端末器が接続先のガス機器又は防災・防犯関連機器Ｅに対して出力する履歴出力指令信号が、専用端末器に代わって履歴出力指令手段Ｆにより接続先のガス機器又は防災・防犯関連機器Ｅに出力され、これに呼応して接続先のガス機器又は防災・防犯関連機器Ｅから入力される履歴情報が、情報送信手段Ｇによって無線通信により履歴出力要求信号の送信元に送信される。
【００３０】
このため、接続先のガス機器又は防災・防犯関連機器Ｅから出力された履歴情報を履歴出力指令信号の出力元において解析することで、ガス機器又は防災・防犯関連機器Ｅを設置場所に設置したままの状態で、履歴情報に関連する項目の状況を容易に類推できるようにすることができる。
【００３１】
また、請求項６に記載した本発明の無線ユニットによれば、請求項５に記載した本発明の無線ユニットにおいて、ガス機器又は防災・防犯関連機器Ｅが、通常モードにおいて動作の履歴情報を内部に蓄積すると共に、点検モードにおいて動作の正常、異常の点検とその結果出力を行うように構成されている場合、外部からの履歴出力要求信号が無線通信により受信されると、点検モードの開始を指令する点検開始指令信号を兼ねた履歴出力指令信号が履歴出力指令手段Ｆにより接続先のガス機器又は防災・防犯関連機器Ｅに出力され、また、点検開始指令信号を兼ねた履歴出力指令信号の入力に呼応して接続先のガス機器又は防災・防犯関連機器Ｅにおいて点検モードが実行されて、点検モードにおける動作の点検結果が履歴情報と共に接続先のガス機器又は防災・防犯関連機器Ｅから入力されると、その点検結果が履歴情報と共に、情報送信手段Ｇによって無線通信により履歴出力要求信号の送信元に送信される。
【００３２】
このため、接続先のガス機器又は防災・防犯関連機器Ｅから出力された点検結果の項目に関連性のある履歴情報を、履歴出力指令信号の出力元において解析することで、ガス機器又は防災・防犯関連機器Ｅを設置場所に設置したままの状態で、点検項目に関連する状況を容易に類推できるようにすることができる。
【００３３】
そして、請求項７に記載した本発明の無線ユニットによれば、請求項６に記載した本発明の無線ユニットにおいて、情報送信手段Ｇによって無線通信により履歴出力要求信号の送信元に送信される点検結果に含まれる、接続先のガス機器又は防災・防犯関連機器Ｅに内蔵された電源用電池ＢＡＴＴの端子電圧と、同じく情報送信手段Ｇによって無線通信により履歴出力要求信号の送信元に送信される履歴情報に含まれる、接続先のガス機器又は防災・防犯関連機器Ｅの電源用電池ＢＡＴＴを電源とする電気素子の動作回数、又は、電池ＢＡＴＴの通電時間とにより、接続先のガス機器又は防災・防犯関連機器Ｅに内蔵された電源用電池ＢＡＴＴの残量や電池切れの時期を容易に類推できるようにすることができる。
【００３４】
また、請求項８に記載した本発明の無線ユニットによれば、請求項６に記載した本発明の無線ユニットにおいて、情報送信手段Ｇによって無線通信により履歴出力要求信号の送信元に送信される点検結果に含まれる、接続先のガス機器又は防災・防犯関連機器Ｅに内蔵された電源用電池ＢＡＴＴの端子電圧と、同じく情報送信手段Ｇによって無線通信により履歴出力要求信号の送信元に送信される履歴情報に含まれる、接続先のガス機器又は防災・防犯関連機器Ｅが電源用電池ＢＡＴＴの電源供給を受けて警報状態時に実行する警報動作の合計時間とにより、電池ＢＡＴＴの電池切れの際の原因が警報動作の異常な過多にあるのかどうかを容易に類推できるようにすることができる。
【００３５】
さらに、請求項９に記載した本発明の携帯端末装置によれば、図４の基本構成図に示すように、履歴情報のガス機器又は防災・防犯関連機器Ｅからの出力を要求する履歴出力要求信号が、履歴出力要求手段Ｈによって無線通信により無線ユニットＤに送信されると、その履歴出力要求信号の無線通信による受信に呼応した無線ユニットＤが専用端末器に代わってガス機器又は防災・防犯関連機器Ｅに出力する履歴出力指令信号の入力に呼応して、ガス機器又は防災・防犯関連機器Ｅが出力した履歴情報が、無線ユニットＤから無線通信により送信されると、その履歴情報が情報受信手段Ｊにより受信され、状態情報生成手段Ｋにより解析されて履歴情報に関連するガス機器又は防災・防犯関連機器Ｅの状態情報が生成され、その状態情報が状態情報出力手段Ｌにより表示又は音声出力される。
【００３６】
このため、状態情報出力手段Ｌにより表示又は音声出力される、履歴情報に関連するガス機器又は防災・防犯関連機器Ｅの状態情報によって、ガス機器又は防災・防犯関連機器Ｅを設置場所に設置したままの状態で、履歴情報に関連する項目の状況を容易に類推できるようにすることができる。
【００３７】
また、請求項１０に記載した本発明の携帯端末装置によれば、請求項９に記載した本発明の携帯端末装置において、履歴出力要求手段Ｈによって無線通信により送信された履歴出力要求信号の受信に伴い、無線ユニットＤからガス機器又は防災・防犯関連機器Ｅに、点検モードの開始を要求する点検開始指令信号を兼ねた履歴出力指令信号が出力され、かつ、この点検開始指令信号を兼ねた履歴出力指令信号の入力に呼応してガス機器又は防災・防犯関連機器Ｅにおいて実行された点検モードにおける動作の点検結果が、履歴情報と共にガス機器又は防災・防犯関連機器Ｅから無線ユニットＤに入力されて、この点検結果が履歴情報と共に無線通信により無線ユニットＤから送信されるので、これら履歴情報と点検結果とが情報受信手段Ｊによって受信されて、状態情報出力手段Ｌにより表示又は音声出力されるガス機器又は防災・防犯関連機器Ｅの状態情報の内容が、点検結果の項目に関連性のある履歴情報を状態情報生成手段Ｋにより解析して生成した、点検項目別のものとなる。
【００３８】
このため、状態情報出力手段Ｌにより表示又は音声出力される状態情報によって、ガス機器又は防災・防犯関連機器Ｅを設置場所に設置したままの状態で、点検項目に関連する状況を容易に類推できるようにすることができる。
【００３９】
そして、請求項１１に記載した本発明の携帯端末装置によれば、請求項１０に記載した本発明の携帯端末装置において、情報受信手段Ｊによって受信された点検結果に含まれる、内蔵された電源用電池ＢＡＴＴの端子電圧と、同じく情報受信手段Ｊによって受信された履歴情報に含まれる、ガス機器又は防災・防犯関連機器Ｅの電源用電池ＢＡＴＴを電源とする電気素子の動作回数、又は、電池ＢＡＴＴの通電時間とにより、接続先のガス機器又は防災・防犯関連機器Ｅに内蔵された電源用電池ＢＡＴＴの残量や電池切れの時期を容易に類推できるようにすることができる。
【００４０】
また、請求項１２に記載した本発明の携帯端末装置によれば、請求項１０に記載した本発明の携帯端末装置において、情報受信手段Ｊによって受信された点検結果に含まれる、内蔵された電源用電池ＢＡＴＴの端子電圧と、同じく情報受信手段Ｊによって受信された履歴情報に含まれる、ガス機器又は防災・防犯関連機器Ｅが電源用電池ＢＡＴＴの電源供給を受けて警報状態時に実行する警報動作の合計時間とにより、電池ＢＡＴＴの電池切れの際の原因が警報動作の異常な過多にあるのかどうかを容易に類推できるようにすることができる。
【発明を実施するための最良の形態】
【００４１】
以下、本発明の実施形態について図面を参照しながら説明する。
【００４２】
図５は本発明を適用して火災警報器どうしを無線で相互に接続した自動連携システムの一実施形態を示すブロック図、図６は図５の自動連携システムにおける火災警報器の構成例を示すブロック図、図１０は図５の自動連携システムにおける無線ユニットの構成例を示すブロック図、図１２は図５の自動連携システムにおけるハンディーターミナルの構成例を示すブロック図である。
【００４３】
図５に示す本実施形態の自動連携システムは、火災警報器１，４，５，８（請求項中のガス機器又は防災・防犯関連機器Ｅに相当。）と、火災警報器１，４，５，８にそれぞれ接続された無線ユニット２，３，６，７（請求項中の無線ユニットＤに相当。）と、無線ユニット２，３，６，７のいずれかとの間で特定小電力無線通信方式による無線通信を行う（図５では無線ユニット６との間で行う場合を示している。）ハンディーターミナル９（請求項中の携帯端末装置及び通信相手Ｃに相当。）とを含む。火災警報器１，４，５，８と無線ユニット２，３，６，７は一つの家屋の異なる場所にそれぞれ設置され、あるいは、複数の家屋にそれぞれ設置され、各無線ユニット２，３，６，７が無線通信を相互に行うことで、警報の相互報知動作を行う。
【００４４】
そして、火災警報器１，４，５，８は、自らが火災を検知している間、音声（警報音、警報メッセージ）や表示（インジケータの点滅パターンやメッセージ）により火災を報知する機能（自発警報機能）と、火災を検知した旨を報知する警報信号を外部に出力する連動出力機能とを有している。
【００４５】
また、火災警報器１，４，５，８は、自身が火災の発生を検知した場合だけでなく、無線ユニット２，３，６，７を介して、他の火災警報器１，４，５，８から出力される警報信号に基づいた接続先の無線ユニット２，３，６，７からの警報報知信号が入力された場合にも、音声や表示による火災報知を行う。
【００４６】
この場合、警報信号の出力元は、同じ家屋内の他の火災警報器１，４，５，８であってもよく（連動警報機能）、周辺の家屋の火災警報器１，４，５，８であってもよい（隣家連動機能）。
【００４７】
さらに、火災警報器１，４，５，８は、その筐体の下部に、後述する点検モードの開始や終了の指示を行うために引っ張り操作される点検ひも１ａ，４ａ，５ａ，８ａを有している。
【００４８】
また、火災警報器１，４，５，８は、図６に示すように、制御用マイクロコンピュータ部（以下、「マイコン部」と略記する。）μＣＯＭと、無線ユニット２，３，６，７がそれぞれ接続されるポートＰｉｏと、不揮発性メモリＮＶＭと、煙や二酸化炭素（ＣＯ2 ）により火災を検出する火災センサＳＲと、点検ひも１ａ，４ａ，５ａ，８ａの引っ張り操作を検出するスイッチＳＷと、音声による火災報知用のスピーカＳＰと、表示による火災報知用のインジケータＬＥＤと、電源用の電池ＢＡＴＴとを有しており、不揮発性メモリＮＶＭ、火災センサＳＲ、スイッチＳＷ、スピーカＳＰ、及び、インジケータＬＥＤは、マイコン部μＣＯＭに接続されている。
【００４９】
なお、不揮発性メモリＮＶＭには、自身が火災を検知して音声や表示による火災の報知（自発警報）を行った回数及び時刻と、同じ家屋の他の火災警報器１，４，５，８が火災を検知して出力する警報信号に基づいた火災の報知（連動警報）を行った回数及び時刻と、他の家屋の火災警報器１，４，５，８が火災を検知して出力する警報信号に基づいた火災の報知（隣家連動警報）を行った回数及び時刻と、それぞれの火災の報知が行われた際の持続時間と、電池ＢＡＴＴの連続通電時間、後述する点検モードにおいて行われるテスト動作の実行回数とを、履歴情報として記憶、蓄積する領域が確保されている。
【００５０】
そして、マイコン部μＣＯＭでは、内部のＲＯＭ（図示せず）に格納された制御プログラムにしたがって、電池ＢＡＴＴの電力をダミー負荷（図示せず）に供給した際の電池ＢＡＴＴの電圧の測定値と、その測定結果に基づいた、電池ＢＡＴＴの電圧の低下判断と、電池ＢＡＴＴの電圧を昇圧する不図示のＤＣ−ＤＣコンバータによる昇圧後の電圧の測定値に基づいた、ＤＣ−ＤＣコンバータの故障検出とを、周期的に行って、その最新の内容を、点検結果の一つとして不揮発性メモリＮＶＭの専用領域に記憶、蓄積する処理が実行されるのに加えて、図７乃至図９のフローチャートで示す処理が実行される。
【００５１】
まず、火災センサＳＲにより検出された煙の濃さや二酸化炭素の濃度が火災警報レベルに達しているか否かを確認し（ステップＳ１）、達していない場合は（ステップＳ１でＮ）、後述するステップＳ１７に進み、達している場合は（ステップＳ１でＹ）、スピーカＳＰ及びインジケータＬＥＤによる火災報知動作（自発警報）を行うと共に、無線ユニット２，３，６，７に対する警報信号をポートＰｉｏから出力し（ステップＳ３）、内部のＲＡＭ（図示せず）のカウントエリアにおける自発警報持続時間のカウントを開始した後（ステップＳ５）、火災センサＳＲにより検出された煙の濃さや二酸化炭素の濃度が火災警報レベルを下回るのを待機する（ステップＳ７）。
【００５２】
火災センサＳＲにより検出された煙の濃さや二酸化炭素の濃度が火災警報レベルを下回ったならば（ステップＳ７でＹ）、スピーカＳＰ及びインジケータＬＥＤによる火災報知動作（自発警報）を終了すると共に、無線ユニット２，３，６，７に対する警報信号のポートＰｉｏからの出力を終了し（ステップＳ９）、不図示のＲＡＭにおける自発警報持続時間のカウントを終了して（ステップＳ１１）、そのカウント値を、自発警報の持続時間として不揮発性メモリＮＶＭに記憶、蓄積すると共に、不揮発性メモリＮＶＭの自発警報回数の履歴を１回増やし、その自発警報の発生時刻を不揮発性メモリＮＶＭに記憶、蓄積して（ステップＳ１３）、自発警報持続時間のカウント値をリセットした後（ステップＳ１５）、ステップＳ１にリターンする。
【００５３】
また、ステップＳ１において、火災センサＳＲにより検出された煙の濃さや二酸化炭素の濃度が火災警報レベルに達していない場合（Ｎ）に進むステップＳ１７では、図８に示すように、無線ユニット２，３，６，７からの警報報知信号がポートＰｉｏに入力されたか否かを確認し、入力されていない場合は（ステップＳ１７でＮ）、後述するステップＳ４９に進み、入力された場合は（ステップＳ１７でＹ）、入力された警報報知信号が、同じ家屋内の他の場所で警報状態が発生したことを示す連動警報であるのか、他の家屋において、他の無線ユニット２，３，６，７に接続された火災警報器１，４，５，８において警報状態が発生したことを示す隣家連動警報であるのかを、確認する（ステップＳ１９）。
【００５４】
連動警報である場合は、スピーカＳＰ及びインジケータＬＥＤによる火災報知動作（連動警報）を行い（ステップＳ２１）、内部のＲＡＭ（図示せず）のカウントエリアにおける連動警報持続時間のカウントを開始した後（ステップＳ２３）、ポートＰｉｏへの警報報知信号の入力が終了するのを待機する（ステップＳ２５）。
【００５５】
ポートＰｉｏへの警報報知信号の入力が終了したならば（ステップＳ２５でＹ）、スピーカＳＰ及びインジケータＬＥＤによる火災報知動作（連動警報）を終了し（ステップＳ２７）、不図示のＲＡＭにおける連動警報持続時間のカウントを終了して（ステップＳ２９）、そのカウント値を、連動警報の持続時間として不揮発性メモリＮＶＭに記憶、蓄積すると共に、不揮発性メモリＮＶＭの連動警報回数の履歴を１回増やし、その連動警報の発生時刻を不揮発性メモリＮＶＭに記憶、蓄積して（ステップＳ３１）、連動警報持続時間のカウント値をリセットした後（ステップＳ３３）、ステップＳ１にリターンする。
【００５６】
また、ステップＳ１９において、ステップＳ１７でポートＰｉｏへの入力を確認した警報報知信号が隣家連動警報である場合は、スピーカＳＰ及びインジケータＬＥＤによる火災報知動作（隣家連動警報）を行い（ステップＳ３５）、内部のＲＡＭ（図示せず）のカウントエリアにおける隣家連動警報持続時間のカウントを開始した後（ステップＳ３７）、ポートＰｉｏへの警報報知信号の入力が終了するのを待機する（ステップＳ３９）。
【００５７】
ポートＰｉｏへの警報報知信号の入力が終了したならば（ステップＳ３９でＹ）、スピーカＳＰ及びインジケータＬＥＤによる火災報知動作（隣家連動警報）を終了し（ステップＳ４１）、不図示のＲＡＭにおける隣家連動警報持続時間のカウントを終了して（ステップＳ４３）、そのカウント値を、隣家連動警報の持続時間として不揮発性メモリＮＶＭに記憶、蓄積すると共に、不揮発性メモリＮＶＭの隣家連動警報回数の履歴を１回増やし、その隣家連動警報の発生時刻を不揮発性メモリＮＶＭに記憶、蓄積して（ステップＳ４５）、隣家連動警報持続時間のカウント値をリセットした後（ステップＳ４７）、ステップＳ１にリターンする。
【００５８】
また、ステップＳ１７において、無線ユニット２，３，６，７からの警報報知信号がポートＰｉｏに入力されていない場合（Ｎ）に進むステップＳ４９では、図９に示すように、スイッチＳＷの状態から点検ひも１ａ，４ａ，５ａ，８ａの引っ張り操作が行われたか否かを確認し、行われていない場合は（ステップＳ４９でＮ）、後述するステップＳ６５に進み、行われた場合は（ステップＳ４９でＹ）、その引っ張り操作が所定時間以内の短時間操作であるか否かを確認する（ステップＳ５１）。
【００５９】
点検ひも１ａ，４ａ，５ａ，８ａの引っ張り操作が短時間操作である場合は（ステップＳ５１でＹ）、動作モードを通常モードから点検モードに切り換えて、音声や表示による火災の報知機能が正常に動作するかどうかを点検するためのテスト動作を行わせ（ステップＳ５３）、不揮発性メモリＮＶＭのテスト動作の実行回数の履歴を１回増やした値に更新して、履歴情報として不揮発性メモリＮＶＭに記憶、蓄積し（ステップＳ５４）、テスト動作の終了後に動作モードを点検モードから通常モードに復帰させた後（ステップＳ５５）、ステップＳ１にリターンする。
【００６０】
一方、点検ひも１ａ，４ａ，５ａ，８ａの引っ張り操作が短時間操作でない場合は（ステップＳ５１でＮ）、動作モードを通常モードから点検モードに切り換えて、他の火災警報器１，４，５，８に対する警報信号をポートＰｉｏから出力する連動出力機能が正常に動作するかどうかを点検するためのテスト動作を行わせた後（ステップＳ５７）、点検ひも１ａ，４ａ，５ａ，８ａの所定時間を超える長時間の引っ張り操作が行われるのを待機する（ステップＳ５９）。
【００６１】
点検ひも１ａ，４ａ，５ａ，８ａの長時間操作が行われたならば（ステップＳ５９でＹ）、他の火災警報器１，４，５，８に対する警報信号をポートＰｉｏから出力するテスト動作を終了させ（ステップＳ６１）、不揮発性メモリＮＶＭのテスト動作の実行回数の履歴を１回増やした値に更新して、履歴情報として不揮発性メモリＮＶＭに記憶、蓄積し（ステップＳ６２）、動作モードを点検モードから通常モードに復帰させた後（ステップＳ６３）、ステップＳ１にリターンする。
【００６２】
また、ステップＳ４９において、点検ひも１ａ，４ａ，５ａ，８ａの引っ張り操作が行われていない場合（Ｎ）に進むステップＳ６５では、専用端末器からの履歴出力指令信号がポートＰｉｏに入力されたか否かを確認し、入力されていない場合は（ステップＳ６５でＮ）、後述するステップＳ６９に進み、入力された場合は（ステップＳ６５でＹ）、不揮発性メモリＮＶＭに記憶された履歴情報をポートＰｉｏから出力した後（ステップＳ６７）、ステップＳ１にリターンする。
【００６３】
また、ステップＳ６５において、専用端末器からの履歴出力指令信号がポートＰｉｏに入力されていない場合（Ｎ）に進むステップＳ６９では、無線ユニット２，３，６，７からの点検開始指令信号がポートＰｉｏに入力されたか否かを確認し、入力されていない場合は（ステップＳ６９でＮ）、ステップＳ１にリターンする。
【００６４】
一方、無線ユニット２，３，６，７からの点検開始指令信号がポートＰｉｏに入力された場合は（ステップＳ６９でＹ）、動作モードを通常モードから点検モードに切り換えて、入力された点検開始指令信号において指定された点検項目についての点検動作を行い（ステップＳ７１）、点検動作を行った点検項目についての点検結果（不揮発性メモリＮＶＭの専用領域に記憶、蓄積されている、電池ＢＡＴＴの電圧の低下判断結果と不図示のＤＣ−ＤＣコンバータの故障検出結果との最新の内容を含む）と、不揮発性メモリＮＶＭに記憶された履歴情報とを、ポートＰｉｏから出力した後（ステップＳ７３）、ステップＳ１にリターンする。
【００６５】
ちなみに、火災警報器１，４，５，８の点検モードにおける点検項目には、不揮発性メモリＮＶＭの専用領域に最新の内容が記憶、蓄積される、電池ＢＡＴＴの電圧の低下判断結果と不図示のＤＣ−ＤＣコンバータの故障検出結果との他に、自発警報、連動警報、隣家連動警報による音声や表示の火災報知動作の動作確認、音声による火災報知動作に用いられるスピーカＳＰの断線確認、表示による火災報知動作に用いられるインジケータＬＥＤの故障確認、火災検知用のセンサの故障確認の故障確認、不図示の温度センサによって測定される火災警報器１，４，５，８の内部温度とその異常の有無等がある。
【００６６】
以上の説明からも明らかなように、本実施形態の火災警報器１，４，５，８では、請求項中の履歴データ保存手段Ａが、不揮発性メモリＮＶＭと、マイコン部μＣＯＭと、マイコン部μＣＯＭが行う図１１のフローチャートにおけるステップＳ３及びステップＳ５の処理とによって構成されており、また、図１１中のステップＳ１５が、請求項中の履歴データ送信手段Ｂに対応する処理となっている。
【００６７】
無線ユニット２，３，６，７は、接続先の火災警報器１，４，５，８の電池ＢＡＴＴからの電力供給を受けて作動するもので、図１０に示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、火災警報器１，４，５，８がそれぞれ接続されるポートＰｉｏと、不揮発性メモリＮＶＭと、通信用高周波回路部ＲＦに接続されたアンテナＡＴとを有しており、不揮発性メモリＮＶＭはマイコン部μＣＯＭに接続されている。
【００６８】
なお、不揮発性メモリＮＶＭには、無線ユニット２，３，６，７が外部との無線通信において使用する自己の識別情報が、予め登録されている。
【００６９】
そして、マイコン部μＣＯＭでは、内部のＲＯＭ（図示せず）に格納された制御プログラムにしたがって、図１１のフローチャートで示す処理が実行される。
【００７０】
まず、火災警報器１，４，５，８からの警報信号がポートＰｉｏに入力されたか否かを確認し（ステップＳ８１）、入力された場合は（ステップＳ８１でＹ）、警報状態の発生を示す警報発生データを、不揮発性メモリＮＶＭに登録された自己の識別情報と共に、変復調処理用デジタル処理回路部ＤＰにて変調して通信用高周波回路部ＲＦ乃至アンテナＡＴから無線送信させた後（ステップＳ８３）、ステップＳ８１にリターンする。
【００７１】
これに対して、火災警報器１，４，５，８からの警報信号がポートＰｉｏに入力されていない場合は（ステップＳ８１でＮ）、他の無線ユニット２，３，６，７からの警報発生データが、その無線ユニット２，３，６，７の識別番号と共に、アンテナＡＴ乃至通信用高周波回路部ＲＦで受信され変復調処理用デジタル処理回路部ＤＰにて復調されて入力されたか否かを確認する（ステップＳ８５）。
【００７２】
他の無線ユニット２，３，６，７からの警報発生データが入力された場合は（ステップＳ８５でＹ）、その警報発生データに含まれる識別番号に応じて、同じ家屋内の他の場所で（連動警報）、あるいは、他の家屋において、他の無線ユニット２，３，６，７に接続された火災警報器１，４，５，８において（隣家連動警報）警報状態が発生したことを、ポートＰｉｏに接続されている火災警報器１，４，５，８において音声出力により報知させるための警報報知信号を生成して、ポートＰｉｏから火災警報器１，４，５，８に出力した後（ステップＳ８７）、ステップＳ８１にリターンする。
【００７３】
一方、他の無線ユニット２，３，６，７からの警報発生データが入力されていない場合は（ステップＳ８５でＮ）、後に詳説するハンディーターミナル９からの履歴出力要求信号と点検開始要求信号とがアンテナＡＴ乃至通信用高周波回路部ＲＦで受信され変復調処理用デジタル処理回路部ＤＰにて復調されて入力されたか否かを確認し（ステップＳ８９）、入力されていない場合は（ステップＳ８９でＮ）、ステップＳ８１にリターンする。
【００７４】
これに対して、ハンディーターミナル９からの履歴出力要求信号と点検開始要求信号とが入力されたならば（ステップＳ８９でＹ）、内部に蓄積された履歴情報の出力を要求する履歴出力指令信号と、点検モードの開始及び点検項目を指令する点検開始指令信号とを、ポートＰｉｏから火災警報器１，４，５，８に出力した後（ステップＳ９１）、火災警報器１，４，５，８からの履歴情報と点検結果とがポートＰｉｏに入力されるのを待機する（ステップＳ９３）。
【００７５】
火災警報器１，４，５，８からの履歴情報と点検結果とがポートＰｉｏに入力されたならば（ステップＳ９３でＹ）、入力された履歴情報と点検結果とを示す履歴データ信号と点検結果データ信号とを生成し、不揮発性メモリＮＶＭに登録された自己の識別情報と共に、変復調処理用デジタル処理回路部ＤＰにて変調して通信用高周波回路部ＲＦ乃至アンテナＡＴから無線送信させた後（ステップＳ９５）、ステップＳ８１にリターンする。
【００７６】
以上の説明からも明らかなように、本実施形態の無線ユニット２，３，６，７においては、図１１のフローチャートにおけるステップＳ９１が、請求項中の履歴出力指令手段Ｆに対応する処理となっており、また、図１１中のステップＳ９５が、請求項中の情報送信手段Ｇに対応する処理となっている。
【００７７】
前記ハンディーターミナル９は、図１２に示すように、履歴情報の出力を要求するメニューの選択等に使用するテンキー９１と、テンキー９１により選択させるメニューの表示やテンキー９１により入力される設定内容の確認表示、あるいは、無線ユニット２，３，６，７を介して火災警報器１，４，５，８から入力される履歴情報や点検結果を解析した結果の表示等を行うディスプレイ９３と、前記無線ユニット２，３，６，７と特定小電力無線通信方式で通信する無線ユニット１０とを有している。
【００７８】
前記無線ユニット１０は、図１０に示す無線ユニット２，３，６，７からポートＰｉｏを省略して構成されており、通信用高周波回路部ＲＦと変復調処理用デジタル処理回路部ＤＰとマイコン部μＣＯＭとをワンチップ化した集積回路ＬＳＩと、不揮発性メモリＮＶＭと、通信用高周波回路部ＲＦに接続されたアンテナＡＴとを有しており、テンキー９１、ディスプレイ９３、及び、不揮発性メモリＮＶＭはマイコン部μＣＯＭに接続されていて、テンキー９１の操作等に応じたディスプレイ９３の表示は、このマイコン部μＣＯＭによって制御される。
【００７９】
なお、不揮発性メモリＮＶＭには、不図示の顧客管理データベースから取り込んだ、各契約者の住戸に設置、登録された火災警報器１，４，５，８に接続されている無線ユニット２，３，６，７の識別情報や、火災警報器１，４，５，８の機種と機種毎の点検可能な項目とを関連づけたテーブル等が、契約者番号等に対応付けて格納されている。
【００８０】
また、不揮発性メモリＮＶＭには、火災警報器１，４，５，８の電池ＢＡＴＴに関する、火災警報器１，４，５，８の内部温度別の、連続通電時間に火災警報器１，４，５，８の定格電流を乗じた放電深度（ＤＯＤ）と端子電圧との相関特性を示すテーブル又は特性式が格納されている。
【００８１】
そして、マイコン部μＣＯＭでは、前記無線ユニット２，３，６，７との特定小電力無線通信方式による無線通信に関して、内部のＲＯＭ（図示せず）に格納された制御プログラムにしたがって、図１３のフローチャートで示す処理が実行される。
【００８２】
まず、テンキー９１の操作により、蓄積された履歴情報の出力と点検モードの開始とを要求する火災警報器１，４，５，８を、その火災警報器１，４，５，８に接続された無線ユニット２，３，６，７の識別番号によって特定すると共に、特定した火災警報器１，４，５，８の機種及び火災警報器１，４，５，８に要求する点検項目とを指定するメニューが選択されたか否かを確認し（ステップＳ１０１）、選択されていない場合は（ステップＳ１０１でＮ）、選択されるまでステップＳ１０１をリピートする。
【００８３】
一方、履歴情報の出力と点検モードの開始とを要求する火災警報器１，４，５，８の特定と、特定した火災警報器１，４，５，８の機種及び要求する点検項目を指定するメニューが選択された場合は（ステップＳ１０１でＹ）、ディスプレイ９３の表示にしたがって、蓄積された履歴情報の出力と点検モードの開始とを要求する火災警報器１，４，５，８に接続された無線ユニット２，３，６，７の識別番号と、火災警報器１，４，５，８の機種及び火災警報器１，４，５，８に要求する点検項目とが、テンキー９１の操作により入力されるのを待機する（ステップＳ１０３）。
【００８４】
そして、無線ユニット２，３，６，７の識別番号と火災警報器１，４，５，８の機種、及び、火災警報器１，４，５，８に要求する点検項目がテンキー９１の操作により入力されたならば（ステップＳ１０３でＹ）、入力された無線ユニット２，３，６，７の識別番号を含む履歴出力要求信号と、入力された無線ユニット２，３，６，７の識別番号、火災警報器１，４，５，８の機種、及び、火災警報器１，４，５，８に要求する点検項目を含む点検開始要求信号とを生成し、変復調処理用デジタル処理回路部ＤＰにて変調して通信用高周波回路部ＲＦ乃至アンテナＡＴから無線送信させた後（ステップＳ１０５）、無線ユニット２，３，６，７からの履歴データ信号及び点検結果データ信号がアンテナＡＴ乃至通信用高周波回路部ＲＦで受信され変復調処理用デジタル処理回路部ＤＰにて復調されて入力されるのを待機する（ステップＳ１０７）。
【００８５】
無線ユニット２，３，６，７からの履歴データ信号及び点検結果データ信号が入力されたならば（ステップＳ１０７でＹ）、入力された履歴データ信号中に含まれる警報履歴データと、入力された点検結果データ信号中に含まれる、指定した点検項目についての点検結果とを用いて、点検項目に関連する火災警報器１，４，５，８の状況を解析し（ステップＳ１０９）、解析した結果を示す状態情報を生成し（ステップＳ１１１）、生成した状態情報をディスプレイ９３に表示させた後（ステップＳ１１３）、ステップＳ１０１にリターンする。
【００８６】
以上の説明からも明らかなように、本実施形態のハンディーターミナル９では、図１３のフローチャートにおけるステップＳ１０５が、請求項中の履歴出力要求手段Ｈに対応する処理となっており、また、図１３中のステップＳ１０７が、請求項中の情報受信手段Ｊに対応する処理となっている。
【００８７】
さらに、本実施形態のハンディーターミナル９では、図１３中のステップＳ１０９及びステップＳ１１１が、請求項中の状態情報生成手段Ｋに対応する処理となっており、かつ、図１３中のステップＳ１１３が、請求項中の状態情報出力手段Ｌに対応する処理となっている。
【００８８】
次に、上述のように構成された本実施形態の自動連係システムの動作（作用）について説明する。
【００８９】
各火災警報器１，４，５，８において、煙の濃さや二酸化炭素の濃度が火災警報レベルに達したことが検出されると、スピーカＳＰ及びインジケータＬＥＤによる火災報知動作（自発警報）が行われると共に、同じ家屋内の他の火災警報器１，４，５，８や他の家屋の火災警報器１，４，５，８に対して、それぞれの接続先の無線ユニット２，３，６，７を介して無線でその旨が通知され、それらの火災警報器１，４，５，８においても、スピーカＳＰ及びインジケータＬＥＤによる火災報知動作（連動警報、隣家連動警報）が行われる。
【００９０】
そして、各火災警報器１，４，５，８では、自発警報や連動警報、隣家連動警報を行った回数及び時刻と、それぞれの警報の持続時間の積算値とが、履歴情報として不揮発性メモリＮＶＭに記憶、蓄積される。
【００９１】
この不揮発性メモリＮＶＭに記憶、蓄積された履歴情報は、交換等により設置場所から回収した火災警報器１，４，５，８のポートＰｉｏに専用端末器（図示せず）を接続し、その専用端末器において履歴情報の出力要求操作を行って履歴出力指令信号を専用端末器から出力させることで、専用端末器に出力される。
【００９２】
また、各火災警報器１，４，５，８において、点検ひも１ａ，４ａ，５ａ，８ａを所定時間以内の短時間、引っ張り操作すると、動作モードが火災を検知する通常モードから点検モードに切り換わって、スピーカＳＰ及びインジケータＬＥＤによる火災の音声、表示報知機能が、自発警報、連動警報、隣家連動警報のそれぞれについて正常に動作するかどうかの点検が行われ、また、所定時間を超える長時間、点検ひも１ａ，４ａ，５ａ，８ａを引っ張り操作すると、動作モードが通常モードから点検モードに動作モードに切り換わって、火災の検知時に他の火災警報器１，４，５，８に対する警報信号をポートＰｉｏから出力する連動出力機能が正常に動作するかどうかの点検が行われる。
【００９３】
尚、点検ひも１ａ，４ａ，５ａ，８ａの短時間引っ張り操作による点検モードは、音声や表示による火災の報知動作が一通り実行されることで自動的に終了し、点検ひも１ａ，４ａ，５ａ，８ａの長時間引っ張り操作による点検モードは、点検ひも１ａ，４ａ，５ａ，８ａを再び長時間引っ張ることで終了し、点検モードが終了した後は、動作モードが通常モードに戻る。
【００９４】
さらに、対象となる火災警報器１，４，５，８やその機種、要求する点検項目を指定して、不揮発性メモリＮＶＭに記憶、蓄積された履歴情報の出力と点検モードの開始とを要求する入力が、ハンディーターミナル９のテンキー９１の操作により行われると、その旨がハンディーターミナル９から対象となる火災警報器１，４，５，８に、その火災警報器１，４，５，８に接続された無線ユニット２，３，６，７を介して、無線により通知される。
【００９５】
すると、通知を受けた火災警報器１，４，５，８において、動作モードが通常モードから点検モードに切り換えられて、要求された項目についての点検動作が行われ、その結果が、不揮発性メモリＮＶＭに記憶、蓄積された履歴情報と共に、その火災警報器１，４，５，８に接続された無線ユニット２，３，６，７を介してハンディーターミナル９に、無線により通知される。
【００９６】
そして、履歴情報と共に点検結果が対象の火災警報器１，４，５，８から通知されたハンディーターミナル９では、点検結果のうち、不図示のＤＣ−ＤＣコンバータの故障検出結果、自発警報、連動警報、隣家連動警報による音声や表示の火災報知動作の動作確認、音声による火災報知動作に用いられるスピーカＳＰの断線確認、表示による火災報知動作に用いられるインジケータＬＥＤの故障確認、火災検知用のセンサの故障確認の故障確認、不図示の温度センサによって測定される火災警報器１，４，５，８の内部温度の異常の有無については、その結果がそのままディスプレイ９３に表示される。
【００９７】
また、電池ＢＡＴＴの電圧の低下結果が電圧低下である場合は、その電池ＢＡＴＴの電圧と、電池ＢＡＴＴの連続通電時間と、火災警報器１，４，５，８の内部温度とから、その電池ＢＡＴＴの現在の放電深度を求め、これと、火災警報器１，４，５，８の内部温度が変わらない場合に電池ＢＡＴＴの電圧が放電終止電圧に至った場合の放電深度との放電深度差を求め、この放電深度差から、電池ＢＡＴＴの消耗度（「○○％の電池を消費しています」）や電池ＢＡＴＴの推定寿命（「推定寿命は約○ヶ月です」）等が割り出されて、ディスプレイ９３に表示される。
【００９８】
さらに、履歴情報にある自発警報の回数、時刻、持続時間の分布から、夕方の時刻に短時間の自発警報が集中している場合は、「調理の煙による可能性あり、換気扇使用を推奨」とか、「湯沸かし器、炊飯器から離して設置する必要あり」といった、設置場所や環境の是正を求めるメッセージがディスプレイ９３に表示され、また、一日に複数回、短時間の自発警報が発生している場合は、「煙草による可能性あり、設置位置変更が必要」といった、設置場所や環境の是正を求めるメッセージがディスプレイ９３に表示される。
【００９９】
また、短時間の自発警報、連動警報、隣家連動警報の回数が多い場合は、「誤報により電池寿命が短くなる可能性があります」という、電池ＢＡＴＴの消耗に注意を促すメッセージがディスプレイ９３に表示される。
【０１００】
尚、連動警報についても、上述した自発警報と同様の表示が、同じ家屋内の他の火災警報器１，４，５，８において発生している事象として、ディスプレイ９３に表示されるようにしてもよい。
【０１０１】
このように、本実施形態の自動連係システムによれば、通常ならば、交換等により設置場所から回収した火災警報器１，４，５，８のポートＰｉｏに専用端末器（図示せず）を接続しないと、火災警報器１，４，５，８から出力させることのできない履歴情報を、ハンディーターミナル９から無線ユニット２，３，６，７を介して対象の火災警報器１，４，５，８に、蓄積された履歴情報の出力を要求する履歴出力要求信号を、点検モードの開始を要求する点検開始要求信号と共に出力することで、火災警報器１，４，５，８を設置したままの状態でハンディーターミナル９に出力させることができる。
【０１０２】
このため、履歴情報を用いて上述した電池ＢＡＴＴの消耗度や推定寿命を推定することができる他、電池ＢＡＴＴが切れた場合に、その原因が自発警報、連動警報、隣家連動警報の多発によるものであって、通常よりも極端に電池ＢＡＴＴの寿命が短くなる等の故障ではないことを認識できるようにすることが可能となる。
【０１０３】
尚、本実施形態では、火災警報器１，４，５，８が点検モードを動作モードとして有しており、この点検モードの開始を指令する点検開始要求信号を履歴出力要求信号と共にハンディーターミナル９から出力させ、かつ、これを無線で受信した無線ユニット２，３，６，７が接続先の火災警報器１，４，５，８に、履歴出力指令信号と点検開始指令信号とを出力し、火災警報器１，４，５，８が、履歴出力指令信号に呼応して履歴情報を無線ユニット２，３，６，７経由でハンディーターミナル９に出力すると共に、点検開始指令信号に呼応して点検結果を無線ユニット２，３，６，７経由でハンディーターミナル９に出力する構成とした。
【０１０４】
しかし、火災警報器１，４，５，８が点検モードを動作モードとして有していない場合は、履歴出力要求信号のみをハンディーターミナル９から出力させ、これを無線で受信した無線ユニット２，３，６，７に接続先の火災警報器１，４，５，８へ履歴出力指令信号のみを出力させ、この履歴出力指令信号に呼応して履歴情報を無線ユニット２，３，６，７経由でハンディーターミナル９に出力する構成とすればよい。
【０１０５】
また、本実施形態のように、火災警報器１，４，５，８が点検モードを動作モードとして有している場合であっても、点検モードの開始を指令する点検開始要求信号を兼ねた履歴出力要求信号のみをハンディーターミナル９から出力させ、これを無線で受信した無線ユニット２，３，６，７に接続先の火災警報器１，４，５，８へ、点検開始指令信号を兼ねた履歴出力指令信号のみを出力させて、この点検開始指令信号を兼ねた履歴出力指令信号に呼応して点検結果を、履歴情報と共に、無線ユニット２，３，６，７経由でハンディーターミナル９に出力する構成とすることができる。
【０１０６】
さらに、本実施形態では、点検モードを動作モードとして有している火災警報器１，４，５，８において、外部（例えば本実施形態のハンディーターミナル９のような）からの無線通信による履歴出力指令信号、又は、点検開始指令信号を兼ねた履歴出力指令信号を受信した無線ユニット２，３，６，７からの、履歴出力要求信号、又は、点検開始要求信号を兼ねた履歴出力要求信号の入力に呼応して、火災警報器１，４，５，８が履歴情報を出力する構成について説明した。
【０１０７】
しかし、点検モードを動作モードとして有しているガス機器又は防災・防犯関連機器において、点検モードの開始を指令する点検開始指令信号の外部からの入力に呼応して、動作モードを通常モードから点検モードに切り換えて行った点検結果と共に、専用端末器の接続時にその専用端末器からの要求に呼応して出力される履歴情報を出力させる構成としてもよい。
【０１０８】
そして、いずれの場合にも、無線ユニット２，３，６，７を火災警報器１，４，５，８に内蔵するものとしてもよい。
【０１０９】
また、本実施形態では、携帯端末装置が無線ユニット１０内蔵のハンディーターミナル９である場合について説明したが、例えば無線ユニット２，３，６，７との無線通信が可能な携帯型ノートパソコンやパームトップパソコン、ＰＤＡ（Personal Digital Assistant）等の携帯情報端末であってもよい。
【０１１０】
そのように構成すれば、点検モードを動作モードとして有している火災警報器１，４，５，８が接続先の無線ユニット２，３，６，７経由で出力した、点検モードにおける点検結果や履歴情報を、携帯情報端末に取り込んで、内部のアプリケーションソフトウェア等を用いて加工、解析し、火災警報器１，４，５，８の電池ＢＡＴＴに関する、より詳細な情報を把握できるようになるので、有利である。
【０１１１】
図１４は、携帯端末装置として携帯型ノートパソコンを用いた場合の、本発明に係る自動連携システムの他の実施形態を示すブロック図であり、図１４中引用符号１１で示す携帯型ノートパソコンは、図５に示すハンディーターミナル９に代わって、無線ユニット２，３，６，７を介して接続先の各火災警報器１，４，５，８から、点検結果や履歴情報を取り込むために用いられる。
【０１１２】
そして、携帯型ノートパソコン１１は、図１５に示すように、内蔵するバッテリＢからの電力供給を受けて作動するもので、キーボード１１１、ディスプレイ１１３、マウス１１５、ＣＰＵ１１９ａ、ＲＡＭ１１９ｂ、ＲＯＭ１１９ｃ、ハードディスクドライブ（ＨＤＤ）１１９ｄ、及び、不揮発性メモリＮＶＭ等を有しており、キーボード１１１、ディスプレイ１１３、ＲＡＭ１１９ｂ、ＲＯＭ１１９ｃ、ＨＤＤ１１９ｄ、及び、不揮発性メモリＮＶＭは、ＣＰＵ１１９ａに接続されており、また、例えばＵＳＢ等で外付け接続された無線ユニット１１７（請求項中の無線ユニットＤに相当）も、ＣＰＵ１１９ａに接続されている。
【０１１３】
前記ＨＤＤ１１９ｄには、前記キーボード１１１の操作により起動される、火災警報器１，４，５，８の電池ＢＡＴＴの電池残量解析用のプログラム等が格納されており、このプログラムのＣＰＵ１１９ａによる実行に当たってキーボード１１１の操作により入力されるパラグラフの内容や、このプログラムの実行により各火災警報器１，４，５，８から取り込まれた点検結果や履歴情報を基に解析された、火災警報器１，４，５，８の電池ＢＡＴＴの電池残量に関する解析結果は、ＣＰＵ１１９ａの制御によりディスプレイ１１３に表示される。
【０１１４】
前記無線ユニット１１７は、前記無線ユニット２，３，６，７との間で特定小電力無線通信方式による通信を行うものであり、無線ユニット２，３，６，７から送信された無線信号の受信時にその受信強度を測定し、測定した受信強度の最新値を内部のＲＡＭ（図示せず）に一時的に保持する機能を有している。
【０１１５】
前記不揮発性メモリＮＶＭには、不図示の顧客管理データベースから取り込んだ、各契約者の住戸に設置、登録された火災警報器１，４，５，８に接続されている無線ユニット２，３，６，７の識別情報や、火災警報器１，４，５，８の機種と機種毎の点検可能な項目とを関連づけたテーブル等が、契約者番号等に対応付けて格納されている。
【０１１６】
また、不揮発性メモリＮＶＭには、火災警報器１，４，５，８の電池ＢＡＴＴの端子電圧を火災警報器１，４，５，８の内部温度に応じて、標準温度における端子電圧に補正、変換するためのテーブル又は特性式と、火災警報器１，４，５，８の機種別の、通常モードにおける単位時間当たりの消費電力（通常消費電力）と、火災警報器１，４，５，８の機種別の、火災報知動作時における単位時間当たりの消費電力（警報消費電力）と、電池ＢＡＴＴの電力消費に伴い端子電圧が低下し始めてからの、標準温度における端子電圧と消費電力との相関を示すテーブル又は特性式とが格納されている。
【０１１７】
尚、本実施形態の自動連携システムでは、各無線ユニット２，３，６，７が、他の無線ユニット２，３，６，７，１１７から送信された無線信号の受信時にその受信強度を測定し、測定した受信強度の最新値を内部のＲＡＭ（図示せず）に一時的に保持する機能を有している。
【０１１８】
そして、本実施形態の自動連携システムでは、キーボード１１１やマウス１１５の操作により、ＨＤＤ１１９ｄに格納された電池ＢＡＴＴの電池残量解析用のプログラムを起動させて、まず、顧客登録を行う。
【０１１９】
この顧客登録は、キーボード１１１やマウス１１５の操作により、ディスプレイ１１３に表示される図１６の入力画面において「顧客登録」のタブをクリックして顧客登録画面を表示させ、この顧客登録画面上で「新規」のラジオボタンをクリックしその下のボックスに顧客名を入力して、警報器リスト欄の設置場所名に火災警報器１，４，５，８の設置場所の名前を入力すると共に、デバイスＮｏ．の欄に、火災警報器１，４，５，８のシリアルＮｏ．を入力し（又は、不図示のバーコードリーダーによりに火災警報器１，４，５，８の不図示のバーコードラベルからシリアルＮｏ．を読み取ってデバイスＮｏ．の欄にソートし）て、「顧客登録」ボタンをクリックすることにより、実行される。
【０１２０】
顧客登録が済んだならば、次に、設置場所の登録を行う。この設置場所登録は、キーボード１１１やマウス１１５の操作により、図１６の入力画面における「配置」のタブをクリックし、それに伴ってディスプレイ１１３に表示される図１７の入力画面において、「顧客リスト」欄のプルダウンメニューから所望の顧客名を選択し、「警報器リスト」欄のプルダウンメニューから所望の設置場所名を選択し、「鉛筆」のアイコンや「消しゴム」のアイコンをクリックした上で、マウス１１５を左クリックした状態でカーソルを動かしながら、「見取り図」のエリア内に設置場所の見取り図を描画し、最後に、「警報器」のアイコンをクリックしたままドラッグして見取り図中に貼り付けることで、実行される。
【０１２１】
このようにして顧客登録及び設置場所の登録が終了すると、以後、「配置」のタブをクリックすることでディスプレイ１１３に表示される図１７の入力画面では、「顧客リスト」欄に表示されている顧客の、「警報器リスト」欄に表示されている設置場所に設置された火災警報器１，４，５，８の見取り図が、「見取り図」のエリア内に表示されると共に、火災警報器１，４，５，８のアイコンが表示される。
【０１２２】
顧客登録及び設置場所の登録が済んだならば、次に、登録した顧客の火災警報器１，４，５，８に対する内蔵の電池ＢＡＴＴの状態を含む点検結果や履歴情報の出力要求を行う。
【０１２３】
この点検結果や履歴情報の出力要求は、キーボード１１１やマウス１１５の操作により、図１６の入力画面における「電池計測」のタブをクリックし、それに伴ってディスプレイ１１３に表示される図１８の入力画面において、「顧客リスト」欄のプルダウンメニューから所望の顧客名を選択し、「警報器リスト」欄のプルダウンメニューから所望の設置場所名を選択して、「計測」のボタンをクリックすることで、実行される。
【０１２４】
尚、「配置」のタブをクリックすることでディスプレイ１１３に表示される図１７の入力画面において、「顧客リスト」欄と「警報器リスト」欄に所望の顧客名と設置場所名を表示させた状態で、「計測へ」のボタンをクリックすると、「顧客リスト」欄と「警報器リスト」欄に表示された顧客及び設置場所がそのままソートされた状態で、図１８の入力画面が表示される。
【０１２５】
そこで、図１８の入力画面において「計測」のボタンをクリックすることで、携帯型ノートパソコン１１のＲＯＭ１１９ｃに格納された制御プログラムにしたがってＣＰＵ１１９ａが行う処理を、図１９のフローチャートを参照して説明する。
【０１２６】
まず、図１８の入力画面において「計測」のボタンがクリックされたか否かを確認し（ステップＳ１２１）、クリックされた場合は（ステップＳ１２１でＹ）、図１８の入力画面における「顧客リスト」欄と「警報器リスト」欄にそれぞれ表示されていた顧客と設置場所に対応する火災警報器１，４，５，８及び接続先の無線ユニット２，３，６，７を、不揮発性メモリＮＶＭに格納されたテーブル等を参照して特定する（ステップＳ１２３）。
【０１２７】
そして、特定した無線ユニット２，３，６，７の識別番号を含む履歴出力要求信号と点検開始要求信号とを生成し、無線ユニット１１７から無線送信させた後（ステップＳ１２５）、無線ユニット２，３，６，７に接続された火災警報器１，４，５，８から出力されて、無線ユニット２，３，６，７において、先に無線ユニット２，３，６，７が受信した無線ユニット１１７からの履歴出力要求信号や点検開始要求信号の受信強度（電界強度）の保持値のデータを加えた履歴データ信号及び点検結果データ信号が、無線ユニット１１７で受信されて入力されるのを待機する（ステップＳ１２７）。
【０１２８】
無線ユニット２，３，６，７からの履歴データ信号及び点検結果データ信号が入力されたならば（ステップＳ１２７でＹ）、入力された履歴データ信号中に含まれる警報履歴データ等を、図１８の入力画面の「警報器情報」の欄や「故障履歴」の欄に表示させると共に、無線ユニット２，３，６，７が受信した無線ユニット１１７からの履歴出力要求信号や点検開始要求信号の受信強度（電界強度）の保持値のデータと、今回無線ユニット１１７が受信した無線ユニット２，３，６，７からの履歴データ信号及び点検結果データ信号の受信強度（電界強度）の保持値とを、図１８の入力画面の「電界強度（ＲＳＳＩ）」の欄に、図２０に示すように表示させ、かつ、入力された点検結果データ信号中に含まれる、特定した無線ユニット２，３，６，７の接続先の火災警報器１，４，５，８の電池ＢＡＴＴの端子電圧等を用いて、電池ＢＡＴＴの残量等を割り出し（ステップＳ１２９）、割り出した電池ＢＡＴＴの残量等を、「電池残量」の欄に表示させた後（ステップＳ１３１）、ステップＳ１２１にリターンする。
【０１２９】
以上の説明からも明らかなように、本実施形態の携帯型ノートパソコン１１においては、図１９のフローチャートにおけるステップＳ１２５が、請求項中の履歴出力要求手段Ｈに対応する処理となっており、また、図１９中のステップＳ１２７が、請求項中の情報受信手段Ｊに対応する処理となっている。
【０１３０】
さらに、本実施形態の携帯型ノートパソコン１１では、図１９中のステップＳ１２９が、請求項中の状態情報生成手段Ｋに対応する処理となっており、かつ、図１９中のステップＳ１３１が、請求項中の状態情報出力手段Ｌに対応する処理となっている。
【０１３１】
上述のように構成された本実施形態の携帯型ノートパソコン１１では、無線ユニット２，３，６，７と無線ユニット１１７との間の無線通信により、所望の火災警報器１，４，５，８の警報履歴データと共に点検結果データが入力されると、火災警報器１，４，５，８からの履歴情報に含まれている電池ＢＡＴＴの連続通電時間と、火災警報器１，４，５，８の内部温度とが、図２０に示す画面の「電池残量」の欄の「動作時間」と「温度」の欄にそれぞれ表示される。
【０１３２】
そして、本実施形態の携帯型ノートパソコン１１では、所望の火災警報器１，４，５，８から入力された点検結果データ中の端子電圧を火災警報器１，４，５，８の内部温度と標準温度との差で補正した補正後の端子電圧が求められ、求められた補正後の端子電圧が３．３Ｖ以上である場合と、２．７Ｖ以上３．３Ｖ未満である場合と、２．７Ｖ未満である場合とで、それぞれ異なった動作が行われ、それに伴って、図２０に示す画面の「電池残量」の欄の「残り時間」の欄にも、補正後の端子電圧が３．３Ｖ以上である場合と、２．７Ｖ以上３．３Ｖ未満である場合と、２．７Ｖ未満である場合とで、それぞれ異なった値が表示される。
【０１３３】
まず、補正後の端子電圧が３．３Ｖ以上である場合は、火災警報器１，４，５，８からの履歴情報に含まれている電池ＢＡＴＴの連続通電時間を、不揮発性メモリＮＶＭに格納されている単位時間当たりの消費電力とを乗じた通常時の消費電力、及び、火災警報器１，４，５，８からの履歴情報に含まれている自発警報や連動警報、隣家連動警報の総持続時間に、不揮発性メモリＮＶＭに格納されている火災報知動作時の単位時間当たりの消費電力を乗じた警報時の消費電力の合計を、電池ＢＡＴＴの消費電力として求める。
【０１３４】
そして、不揮発性メモリＮＶＭに格納されている、標準温度における電池ＢＡＴＴの端子電圧と消費電力との相関を示すテーブル又は特性式において、電池ＢＡＴＴが火災警報器１，４，５，８の警報出力動作に最低限必要な動作電圧（例えば標準温度で２．６Ｖ）に低下した場合の積算消費電力ｍ（予め実測によって求めておいた値）から、先に求めた電池ＢＡＴＴの消費電力を差し引いて、電池ＢＡＴＴの残りの電力を求め、求めた残りの電力を、不揮発性メモリＮＶＭに格納されている単位時間当たりの消費電力を乗じた通常時の消費電力で除して、電池ＢＡＴＴの残り時間を求めて、これを、図２０に示す画面の「電池残量」の欄の「残り時間」の欄に表示させる。
【０１３５】
尚、補正後の端子電圧が３．３Ｖ以上である場合に、図２０に示す画面の「電池残量」の欄に表示させる電池残量のイメージ及びコメントは、不揮発性メモリＮＶＭに格納されている、標準温度における電池ＢＡＴＴの端子電圧と消費電力との相関を示すテーブル又は特性式において、電池ＢＡＴＴの標準温度における端子電圧が３．３Ｖから低下し始める時の電池ＢＡＴＴの消費電力値ｎに、先に求めた電池ＢＡＴＴの消費電力が達していなければ、図２１に示すような、電池のイメージのほぼ全体が緑色に色づけされた状態のイメージと、「電池残量は十分です」のコメントとなる。
【０１３６】
一方、先に求めた電池ＢＡＴＴの消費電力が、電池ＢＡＴＴの標準温度における端子電圧が３．３Ｖから低下し始める時の電池ＢＡＴＴの消費電力値ｎに達していれば、図２０に示す画面の「電池残量」の欄に表示させる電池残量のイメージ及びコメントは、図２２に示すような、電池のイメージの下半分が緑色に色づけされた状態のイメージと、「電池残量が減っています」のコメントとなる。
【０１３７】
次に、補正後の端子電圧が２．７Ｖ以上３．３Ｖ未満である場合は、不揮発性メモリＮＶＭに格納されている、標準温度における電池ＢＡＴＴの端子電圧と消費電力との相関を示すテーブル又は特性式において、補正後の端子電圧に対応する値が、電池ＢＡＴＴの消費電力として求められ、これを、先に説明した、火災警報器１，４，５，８の警報出力動作に最低限必要な動作電圧に低下した場合の電池ＢＡＴＴの積算消費電力ｍから差し引いて、電池ＢＡＴＴの残りの電力を求め、求めた残りの電力を、不揮発性メモリＮＶＭに格納されている単位時間当たりの消費電力を乗じた通常時の消費電力で除して、電池ＢＡＴＴの残り時間を求めて、これを、図２０に示す画面の「電池残量」の欄の「残り時間」の欄に表示させる。
【０１３８】
尚、補正後の端子電圧が２．７Ｖ以上３．３Ｖ未満である場合に、図２０に示す画面の「電池残量」の欄に表示させる電池残量のイメージ及びコメントは、不揮発性メモリＮＶＭに格納されている、標準温度における電池ＢＡＴＴの端子電圧と消費電力との相関を示すテーブル又は特性式において、電池ＢＡＴＴの標準温度における端子電圧が３．３Ｖから低下し始める時の電池ＢＡＴＴの消費電力値ｎに、先に求めた電池ＢＡＴＴの消費電力が達していなければ、図２３に示すような、電池のイメージの下半分が緑色に色づけされた状態のイメージと、「電池残量が減っています」のコメントとなる。
【０１３９】
一方、先に求めた電池ＢＡＴＴの消費電力が、電池ＢＡＴＴの標準温度における端子電圧が３．３Ｖから低下し始める時の電池ＢＡＴＴの消費電力値ｎに達していれば、図２０に示す画面の「電池残量」の欄に表示させる電池残量のイメージ及びコメントは、図２４に示すような、電池のイメージの下３分の１が黄色に色づけされた状態のイメージと、「電池残量がありません」のコメントとなる。
【０１４０】
次に、補正後の端子電圧が２．７Ｖ未満である場合は、不揮発性メモリＮＶＭに格納されている、標準温度における電池ＢＡＴＴの端子電圧と消費電力との相関を示すテーブル又は特性式において、補正後の端子電圧に対応する値が、電池ＢＡＴＴの消費電力として求められるが、これは、先に説明した、火災警報器１，４，５，８の警報出力動作に最低限必要な動作電圧に低下した場合の電池ＢＡＴＴの積算消費電力ｍを当然上回る値となるから、図２０に示す画面の「電池残量」の欄の「残り時間」の欄に表示させる電池ＢＡＴＴの残り時間は、当然「０」となる。
【０１４１】
尚、補正後の端子電圧が２．７Ｖ未満である場合に、図２０に示す画面の「電池残量」の欄に表示させる電池残量のイメージ及びコメントは、図２５に示すような、電池のイメージの下３分の１が黄色に色づけされた状態のイメージと、「電池残量がありません」のコメントとなる。
【０１４２】
ちなみに、補正後の端子電圧が３．３Ｖ以上である場合や、補正後の端子電圧が２．７Ｖ以上３．３Ｖ未満である場合に、「残り時間」の欄に表示させる電池ＢＡＴＴの残り時間は、次のような内容にしてもよい。
【０１４３】
即ち、火災警報器１，４，５，８からの履歴情報に含まれている自発警報や連動警報、隣家連動警報の総持続時間を、自発警報や連動警報、隣家連動警報の合計回数で除して、単位時間当たりの警報回数を求め、これを、先に求めた電池ＢＡＴＴの残り時間に乗じて、残り時間で起こるであろう警報回数を求める。
【０１４４】
また、火災警報器１，４，５，８からの履歴情報に含まれている自発警報や連動警報、隣家連動警報の総持続時間を、自発警報や連動警報、隣家連動警報の合計回数で除して、警報１回当たりの平均警報時間を求め、これを、先に求めた、残り時間で起こるであろう警報回数に乗じて、残り時間において警報時に必要な消費電力を求める。
【０１４５】
そして、求めた残り時間において警報時に必要な消費電力を、先に求めた残りの電力から差し引いて、残り時間で起こるであろう警報による消費電力分を差し引いた真の残り電力を求め、この真の残り電力を、不揮発性メモリＮＶＭに格納されている単位時間当たりの消費電力を乗じた通常時の消費電力で除して、残り時間で起こるであろう警報による消費電力分を考慮した電池ＢＡＴＴの残り時間を求めて、これを、図２０に示す画面の「電池残量」の欄の「残り時間」の欄に表示させるようにすることもできる。
【０１４６】
以上に説明したとおり、携帯端末装置として本実施形態の携帯型ノートパソコン１１や、パームトップパソコン、ＰＤＡ等、アプリケーションソフトウェアのインストール可能な装置を用いれば、火災警報器１，４，５，８から入力される警報履歴データや点検結果データ中の各要素を用いて、電池ＢＡＴＴの残量に関する詳細な解析を行って、火災警報器１，４，５，８の電池ＢＡＴＴの枯渇前の交換を可能にするような詳細な情報の生成、表示を行えるようにすることができる。
【０１４７】
尚、上述した実施形態の携帯型ノートパソコン１１では、フローチャートを参照しての詳細な説明を省略したが、先に説明した実施形態のハンディーターミナル９が行うのと同様の、火災警報器１，４，５，８から無線ユニット２，５，６，８及び無線ユニット１１７を介して入力された履歴データ信号中に含まれる警報履歴データと、入力された点検結果データ信号中に含まれる、指定した点検項目についての点検結果とを用いて、点検項目に関連する火災警報器１，４，５，８の状況を解析し、解析した結果を示す状態情報を生成し、生成した状態情報をディスプレイ１１３に表示させる処理も、実行される。
【０１４８】
したがって、履歴情報と共に点検結果が対象の火災警報器１，４，５，８から通知された携帯型ノートパソコン１１において、点検結果のうち、不図示のＤＣ−ＤＣコンバータの故障検出結果、自発警報、連動警報、隣家連動警報による音声や表示の火災報知動作の動作確認、音声による火災報知動作に用いられるスピーカＳＰの断線確認、表示による火災報知動作に用いられるインジケータＬＥＤの故障確認、火災検知用のセンサの故障確認の故障確認、不図示の温度センサによって測定される火災警報器１，４，５，８の内部温度の異常の有無を、ディスプレイ１１３に表示させることができる。
【０１４９】
また、履歴情報にある自発警報の回数、時刻、持続時間の分布から、夕方の時刻に短時間の自発警報が集中している場合に、「調理の煙による可能性あり、換気扇使用を推奨」とか、「湯沸かし器、炊飯器から離して設置する必要あり」といった、設置場所や環境の是正を求めるメッセージをディスプレイ１１３に表示したり、一日に複数回、短時間の自発警報が発生している場合に、「煙草による可能性あり、設置位置変更が必要」といった、設置場所や環境の是正を求めるメッセージをディスプレイ１１３に表示することができる。
【０１５０】
さらに、短時間の自発警報、連動警報、隣家連動警報の回数が多い場合は、「誤報により電池寿命が短くなる可能性があります」という、火災警報器１，４，５，８の電池ＢＡＴＴの消耗に注意を促すメッセージをディスプレイ１３に表示させることもでき、あるいは、電池ＢＡＴＴが切れた場合に、その原因が自発警報、連動警報、隣家連動警報の多発によるものであって、通常よりも極端に電池ＢＡＴＴの寿命が短くなる等の故障ではないことを認識できるようにすることもできる。
【０１５１】
尚、連動警報についても、上述した自発警報と同様の表示が、同じ家屋内の他の火災警報器１，４，５，８において発生している事象として、ディスプレイ１１３に表示されるようにしてもよい。
【０１５２】
以上に説明した各実施形態では、ガス機器又は防災・防犯関連機器が火災警報器１，４，５，８である場合を例に採って説明したが、本発明は、例えば、窓センサや防犯切替中継器、網制御装置（ＮＣＵ）のような、警報状態の発生時に警報信号を出力したり出力された警報信号を処理する防災・防犯関連機器や、ガスメータやガス漏れ火災警報器等のガス機器から、内部に記憶、蓄積された履歴情報を、それらを設置したままの状態で出力させる場合に、広く適用可能であることは言うまでもない。
【図面の簡単な説明】
【０１５３】
【図１】本発明に係るガス機器又は防災・防犯関連機器の基本構成図である。
【図２】本発明に係るガス機器又は防災・防犯関連機器の基本構成図である。
【図３】本発明に係る無線ユニットの基本構成図である。
【図４】本発明に係る携帯端末装置の基本構成図である。
【図５】本発明を適用して火災警報器どうしを無線で相互に接続した自動連携システムの一実施形態を示すブロック図である。
【図６】図５の自動連携システムにおける火災警報器の構成例を示すブロック図である。
【図７】図６の火災警報器のマイコン部が内部のＲＯＭに格納された制御プログラムにしたがって実行する処理のフローチャートである。
【図８】図６の火災警報器のマイコン部が内部のＲＯＭに格納された制御プログラムにしたがって実行する処理のフローチャートである。
【図９】図６の火災警報器のマイコン部が内部のＲＯＭに格納された制御プログラムにしたがって実行する処理のフローチャートである。
【図１０】図５の自動連携システムにおける無線ユニットの構成例を示すブロック図である。
【図１１】図１０の無線ユニットのマイコン部が内部のＲＯＭに格納された制御プログラムにしたがって実行する処理のフローチャートである。
【図１２】図５の自動連携システムにおけるハンディーターミナルの構成例を示すブロック図である。
【図１３】図１２のハンディーターミナルの無線ユニットのマイコン部が内部のＲＯＭに格納された制御プログラムにしたがって実行する処理のフローチャートである。
【図１４】本発明を適用して火災警報器どうしを無線で相互に接続した自動連携システムの他の実施形態を示すブロック図である。
【図１５】図１４の自動連携システムにおける携帯型ノートパソコンの構成例を示すブロック図である。
【図１６】図１５の携帯型ノートパソコンのディスプレイに表示される電池残量解析用プログラムの入力画面の表示例を示す説明図である。
【図１７】図１５の携帯型ノートパソコンのディスプレイに表示される電池残量解析用プログラムの入力画面の表示例を示す説明図である。
【図１８】図１５の携帯型ノートパソコンのディスプレイに表示される電池残量解析用プログラムの入力画面の表示例を示す説明図である。
【図１９】図１５の携帯型ノートパソコンのＣＰＵがＲＯＭに格納された制御プログラムにしたがって実行する処理のフローチャートである。
【図２０】図１５の携帯型ノートパソコンのディスプレイに表示される電池残量解析用プログラムの入力画面の表示例を示す説明図である。
【図２１】図２０の入力画面に表示される電池残量に関するイメージ及びコメントの表示例を示す説明図である。
【図２２】図２０の入力画面に表示される電池残量に関するイメージ及びコメントの表示例を示す説明図である。
【図２３】図２０の入力画面に表示される電池残量に関するイメージ及びコメントの表示例を示す説明図である。
【図２４】図２０の入力画面に表示される電池残量に関するイメージ及びコメントの表示例を示す説明図である。
【図２５】図２０の入力画面に表示される電池残量に関するイメージ及びコメントの表示例を示す説明図である。
【符号の説明】
【０１５４】
Ａ  モード切換手段
Ｂ  情報出力手段
ＢＡＴＴ  電池
Ｃ  通信相手
Ｄ  無線ユニット
Ｅ  ガス機器又は防災・防犯関連機器
Ｆ  履歴出力指令手段
Ｇ  情報送信手段
Ｈ  履歴出力要求手段
Ｊ  情報受信手段
Ｋ  状態情報生成手段
Ｌ  状態情報出力手段
【図１】
2008033841.tif 000003
【図２】
2008033841.tif 000004
【図３】
2008033841.tif 000005
【図４】
2008033841.tif 000006
【図５】
2008033841.tif 000007
【図６】
2008033841.tif 000008
【図７】
2008033841.tif 000009
【図８】
2008033841.tif 000010
【図９】
2008033841.tif 000011
【図１０】
2008033841.tif 000012
【図１１】
2008033841.tif 000013
【図１２】
2008033841.tif 000014
【図１３】
2008033841.tif 000015
【図１４】
2008033841.tif 000016
【図１５】
2008033841.tif 000017
【図１６】
2008033841.tif 000018
【図１７】
2008033841.tif 000019
【図１８】
2008033841.tif 000020
【図１９】
2008033841.tif 000021
【図２０】
2008033841.tif 000022
【図２１】
2008033841.tif 000023
【図２２】
2008033841.tif 000024
【図２３】
2008033841.tif 000025
【図２４】
2008033841.tif 000026
【図２５】
2008033841.tif 000027